(57)【要約】【課題】低コスト化を実現し、基板に対して発光素子や点灯回路を有効かつ効率よく設け、配線器具側と点灯回路および発光素子との配線も容易にした照明器具を提供する。【解決手段】器具本体21は、器具取付面11に設置された配線器具12に取り付けられる取付部39を有する。基板装置22は、基板42、発光素子43および点灯回路44を備える。基板42は、取付部39の周囲に配設され、取付部39に対向して開口部48が設けられるとともに、一面のみに配線面47が設けられ、他面側が器具本体21に取り付けられる。発光素子43は、基板42の外周側領域49で配線面47に実装される。点灯回路44は、基板42の内周側領域50で開口部48の周囲に設けられる。点灯回路44は、基板42の内周側領域50で配線面47に実装される表面実装部品53、および基板42の内周側領域50で他面側に配設されて基板42に挿入されるリード線が配線面47に電気接続されるリード部品54を有する。【選択図】図１
2017107694.tif 000002
【特許請求の範囲】
【請求項１】
器具取付面に設置された配線器具に取り付けられる取付部を有する器具本体と；
前記取付部の周囲に配設され、前記取付部に対向して開口部が設けられるとともに、一面のみに配線面が設けられ、他面側が前記器具本体に取り付けられる基板と、この基板の外周側領域で前記配線面に実装される発光素子と、前記基板の内周側領域で前記開口部の周囲に設けられる点灯回路とを備え、この点灯回路は、前記基板の内周側領域で前記配線面に実装される表面実装部品、および前記基板の内周側領域で他面側に配設されて前記基板に挿入されるリード線が前記配線面に電気接続されるリード部品を有する基板装置と；
を具備することを特徴とする照明器具。
【請求項２】
前記基板の外周側領域で前記配線面を覆う透光性を有する光源カバーと；
前記基板の内周側領域で前記配線面を覆う遮光性を有する回路カバーと；
を具備することを特徴とする請求項１記載の照明器具。
【発明の詳細な説明】
【技術分野】
【０００１】
本発明の実施形態は、発光素子を用いた照明器具に関する。
【背景技術】
【０００２】
従来、例えばシーリングライトなどの照明器具では、器具本体の表面側に発光素子を実装した基板が配設され、器具本体の背面側に点灯回路が配設されていることが多い。
【０００３】
また、照明器具では、発光素子を実装する基板に点灯回路を一緒に設けたものもある。このように発光素子を実装する基板に点灯回路を設けたものは、基板に対して発光素子や点灯回路の部品をいかに有効かつ効率よく設けるかが十分に考慮されていなかった。そのため、基板の内周側領域には何も配設されない部分が発生したり、両面に実装部品が配置されて基板の両面に配線が必要となるなど、基板がコストアップや大形化してしまう。
【０００４】
さらに、器具取付面に設置された配線器具に器具本体を取り付け、配線器具側と点灯回路とを電気接続するが、配線器具側と点灯回路とが離れていたり、配線器具側と点灯回路との間に発光素子が配設されていると、配線器具側と点灯回路および発光素子との配線を容易にできない。
【先行技術文献】
【特許文献】
【０００５】
【特許文献１】特開２０１５−１８５３８２号公報
【発明の概要】
【発明が解決しようとする課題】
【０００６】
本発明が解決しようとする課題は、低コスト化を実現できるとともに、基板に対して発光素子や点灯回路を有効かつ効率よく設けることができ、配線器具側と点灯回路および発光素子との配線も容易にできる照明器具を提供することである。
【課題を解決するための手段】
【０００７】
実施形態の照明器具は、器具本体および基板装置を備える。器具本体は、器具取付面に設置された配線器具に取り付けられる取付部を有する。基板装置は、基板、発光素子および点灯回路を備える。基板は、取付部の周囲に配設され、取付部に対向して開口部が設けられるとともに、一面のみに配線面が設けられ、他面側が器具本体に取り付けられる。発光素子は、基板の外周側領域で配線面に実装される。点灯回路は、基板の内周側領域で開口部の周囲に設けられる。点灯回路は、基板の内周側領域で配線面に実装される表面実装部品、および基板の内周側領域で他面側に配設されて基板に挿入されるリード線が配線面に電気接続されるリード部品を有する。
【発明の効果】
【０００８】
本発明によれば、低コスト化を実現できるとともに、基板に対して発光素子や点灯回路を有効かつ効率よく設けることができ、配線器具側と点灯回路および発光素子との配線も容易にすることが期待できる。
【図面の簡単な説明】
【０００９】
【図１】一実施形態を示す照明器具の一部の断面図である。
【図２】同上照明器具の断面図である。
【発明を実施するための形態】
【００１０】
以下、一実施形態を、図１および図２を参照して説明する。
【００１１】
図１および図２に示すように、照明器具10は、器具取付面11に設置された引掛シーリングである配線器具12にアダプタ13を介して取り付けられるシーリングライトである。
【００１２】
そして、配線器具12には器具取付面11から突出する高さや形状が異なる各種のタイプがあるが、図１および図２には高さの高い丸形タイプの配線器具12を示している。
【００１３】
また、アダプタ13は、円筒状のアダプタ本体16を有し、このアダプタ本体16の上面から配線器具12に対して電気的および機械的に接続される一対の断面Ｌ字形の端子が突設されている。アダプタ本体16の側面には一対の爪部17が突出されている。爪部17は付勢部材によってアダプタ本体16から突出するように付勢されており、アダプタ本体16の下面に配設された解除ボタン18を押すことにより、爪部17をアダプタ本体16内に移動させることができる。アダプタ13からは一対の端子に電気的に接続されたアダプタケーブルが引き出され、このアダプタケーブルの先端に設けられたアダプタコネクタが照明器具10側に電気的に接続される。
【００１４】
また、照明器具10は、器具本体21を備えている。この器具本体21の表面側である下面側に、基板装置22、この基板装置22を覆う光源カバー23および回路カバー24、器具本体21の下面側全体を覆うセード25などが配設されている。
【００１５】
そして、器具本体21は、金属製で、円盤状に形成されている。器具本体21には、基板装置22を取り付ける環状の基板取付部28が形成され、この基板取付部28の内周側および外周側に器具本体21の背面側である上面側にそれぞれ屈曲して突出する内周側屈曲部29および外周側屈曲部30が形成されている。
【００１６】
基板取付部28は、平面状で環状に形成され、器具本体21の下方に最も突出されている。
【００１７】
内周側屈曲部29の中央、すなわち器具本体21の中央には、配線器具12およびアダプタ13が挿通可能な挿通口31が形成されている。挿通口31の周縁部はアダプタ13の爪部17に係止可能な上部側の係止部32として構成されている。内周側屈曲部29の下面側には点灯回路収容部33が環状に形成されている。
【００１８】
外周側屈曲部30は、内周側屈曲部29よりも上方に突出されている。外周側屈曲部30の外周縁にはセード25を嵌合するセード嵌合部30aが形成されている。外周側屈曲部30の下面に側には、セード25を回動させて着脱可能に取り付けるための複数のセード取付金具が取り付けられている。
【００１９】
器具本体21の中央、すなわち内周側屈曲部29に、アダプタ13に取り付けるアダプタガイドとしての取付部材34が取り付けられている。この取付部材34は、絶縁性を有している。取付部材34は、円筒状に形成された筒部35を備え、この筒部35の内周に下部側の係止部36が環状に突設されている。筒部35の上部には、内周側屈曲部29の下面側を覆う環状の絶縁部37が形成されている。筒部35の下端には、基板取付部28よりも下方に突出される突出部38が形成されている。取付部材34は、基板装置22の内周側を支持するリブやボスなどの支持部を備えている。そして、取付部材34および器具本体21の係止部32が、配線器具12の高さに応じて、配線器具12にアダプタ13を介して取り付けるための取付部39として構成されている。
【００２０】
器具本体21の背面には、照明器具10の設置時に器具取付面11に接するクッション材が取り付けられている。
【００２１】
また、基板装置22は、基板42、この基板42に設けられた複数の発光素子43および点灯回路44を備えている。
【００２２】
基板42は、例えば絶縁材料をベースとし、その一面のみに配線パターンが形成された片面配線基板である。すなわち、基板42の一面である表面42aは配線パターンが形成された配線面47であり、基板42の他面であるとともに配線面47に対して反対側である背面42bは配線パターンが形成されていない面である。
【００２３】
基板42は、中央に開口部48を有する環状に形成されている。基板42は、例えば、環状に一体に設けられていてもよいし、周方向に複数に分割されていてこれらが環状に組み合わされるようにしてもよい。基板42が周方向に複数に分割されている場合には、分割基板を環状に組み合わせた際に、分割基板同士をコネクタ接続などによって電気的に接続されるように構成すればよい。
【００２４】
基板42は、外周側領域49および内周側領域50を備えている。基板42の外周側領域49で配線面47に複数の発光素子43が実装され、基板42の内周側領域50で開口部48の周囲に点灯回路44が設けられている。基板42の配線面47の外周側領域49には複数の発光素子43を実装するための配線パターンが形成され、基板42の配線面47の内周側領域50には点灯回路44を構成するための配線パターンが形成されている。
【００２５】
基板42は、開口部48が取付部材34の外周に嵌合されるとともに、外周側領域49の背面42bが器具本体21の基板取付部28に接するように取り付けられている。
【００２６】
発光素子43は、例えば、表面実装形のＬＥＤが用いられている。複数の発光素子43は、基板42の配線面47の外周側領域49に、同心円状に複数列配設されるとともに、それぞれの列で周方向に沿って所定の間隔をあけて実装されている。本実施形態では、２列に配設されているが、３列以上でもよく、あるいは１列でもよい。発光素子43は、ＬＥＤに限らず、有機ＥＬなどの他の発光素子でもよい。
【００２７】
点灯回路44は、基板42の内周側領域50に設けられている。点灯回路44は、配線器具12およびアダプタ13を通じて入力される交流電源を整流および平滑する整流回路、この整流回路からの出力をスイッチング素子のスイッチング動作によって所定の直流電源に変換して発光素子43に供給するコンバータ、および調光信号を入力してスイッチング素子のスイッチング動作を制御する制御部を備えている。
【００２８】
点灯回路44は、この点灯回路44を構成するための複数の表面実装部品53および複数のリード部品54を備えている。
【００２９】
表面実装部品53は、例えば、トランジスタ、抵抗、コンデンサなどの高さが低く、リード線を備えないチップ部品である。そして、表面実装部品53は、基板42の内周側領域50で、配線面47の配線パターン上に搭載されてはんだ付け接続されている。
【００３０】
リード部品54は、例えば、電解コンデンサやインダクタなどの高さが高い部品であり、リード部品本体から突出された複数のリード線を備えている。そして、リード部品54は、基板42の内周側領域50で、リード部品本体が基板42の背面42b側に配設され、リード線が基板42の背面42b側から表面42a側である配線面47に挿入されてその配線面47の配線パターンにはんだ付け接続されている。リード部品54のリード部品本体は、器具本体21の点灯回路収容部33に収容されている。
【００３１】
点灯回路44は、アダプタ13から引き出されているアダプタケーブルのアダプタコネクタが接続される入力コネクタを有している。
【００３２】
なお、基板装置22は、リモコンからのリモコン信号（調光信号）を受光するリモコン受光部や、常夜灯を備えていてもよい。リモコン受光部は、表面実装形の部品であり、点灯回路44の一部として、基板42の内周側領域50で、配線面47の配線パターン上に搭載されてはんだ付け接続される。常夜灯は、例えば、表面実装形のＬＥＤであり、配線面47のどこに実装してもよい。
【００３３】
また、光源カバー23は、絶縁性および透光性を有する樹脂材料によって、環状に形成されている。樹脂材料としては、例えば、透明なポリカーボネートが用いられている。
【００３４】
光源カバー23は、器具本体21の基板取付部28との間に基板42を挟み込んで保持するカバー部57、および発光素子43に対向するレンズ部58を備えている。
【００３５】
カバー部57は、環状に形成されており、基板42の配線面47に接する。
【００３６】
レンズ部58は、発光素子43に対向する背面側に断面凹状の入射面59が形成されているとともに、入射面59と反対の表面側に断面凸状の出射面60が形成されている。レンズ部58は、発光素子43からの光を器具中心側から器具外径側に亘って拡散させる配光特性を有している。
【００３７】
また、回路カバー24は、絶縁性および遮光性を有する樹脂材料によって、環状に形成されている。
【００３８】
回路カバー24は、内周側が取付部材34の突出部38に嵌合されて取り付けられ、外周側が光源カバー23のカバー部57を介して器具本体21に取り付けられている。回路カバー24は、基板42の配線面47の内周側領域50およびこの内周側領域50に実装された点灯回路44の表面実装部品53を覆う。回路カバー24の基板42からの突出寸法は、光源カバー23のレンズ部58と同じか略同じ程度に設けられている。
【００３９】
そして、光源カバー23および回路カバー24は、例えば、それらカバー23，24の背面から突設された複数の略Ｌ字形の爪を器具本体21に設けられた取付孔にそれぞれ挿入してそれらカバー23，24を回動させることで器具本体21に係止し、カバー23，24を挿通するねじを器具本体21に螺着して固定するようにしてもよい。
【００４０】
さらに、リモコン受光部や常夜灯が基板42の配線面47の内周側領域50に実装されている場合には、その実装位置に対応して回路カバー24に切欠きを設けるとともに、この回路カバー24に切欠き部分を覆うように光源カバー23から延長部を設けるようにすればよい。
【００４１】
なお、光源カバー23と回路カバー24とは一体に形成されていてもよい。この場合、回路カバー24の部分のみを遮光材を塗布するなどして遮光性を有するように構成すればよい。
【００４２】
また、セード25は、透光性および拡散性を有する乳白色の樹脂材料によって一体に形成されている。セード25は、上面側が開口され、下面側がドーム状に膨らんだ形状に形成されている。セード25の上面側の開口の内周縁部には、器具本体21のセード取付金具に対してセード25の回動によって着脱可能に取り付けられる取付段部が形成されている。そして、器具本体21に取り付けられるセード25により、器具本体21の下面全体が覆われる。
【００４３】
そして、照明器具10を器具取付面11に設置するには、まず、配線器具12にアダプタ13を装着する。配線器具12に装着されたアダプタ13は、配線器具12に対して電気的に接続されるとともに機械的に保持され、配線器具12に対する回動も規制される。
【００４４】
器具本体21を持ち上げ、挿通口31および取付部材34をアダプタ13の周囲に合わせ、器具本体21を押し上げる。
【００４５】
器具本体21を押し上げることにより、器具本体21の取付部39がアダプタ13の爪部17上に引っ掛かって取り付けられる。本実施形態では、配線器具12が高さの高い丸形タイプであるため、取付部材34の係止部36がアダプタ13の爪部17上に引っ掛かって取り付けられる。この取付状態では、クッション材が器具本体21と器具取付面11との間で圧縮され、このクッション材によって器具取付面11に対する照明器具10のがたつきが防止される。
【００４６】
続いて、アダプタ13のアダプタケーブルを点灯回路44の入力コネクタに電気的に接続し、セード25を器具本体21の下面に被せ、セード25を回動させることにより、セード25を器具本体21のセード取付金具に取り付ける。これにより、照明器具10の設置が完了となる。
【００４７】
一方、照明器具10を外す場合には、セード25を外し、アダプタ13のアダプタケーブルを点灯回路44の入力コネクタから外し、アダプタ13の解除ボタン18を操作することにより、爪部17をアダプタ本体16内に移動させる。これにより、取付部39がアダプタ13の爪部17から外れ、器具本体21を下方へ移動させることが可能となり、器具本体21をアダプタ13から外すことができる。
【００４８】
また、照明器具10の設置状態においては、壁スイッチのオン操作やリモコンのオン操作により、点灯回路44が交流電源を所定の直流電源に変換して発光素子43に供給し、発光素子43が点灯する。発光素子43からの光は光源カバー23のレンズ部58に入射し、レンズ部58で配光が制御された光がセード25を透過して照明空間に照射される。
【００４９】
そして、基板装置22では、同じ基板42に発光素子43および点灯回路44を一緒に設けているため、部品点数を削減することができる。
【００５０】
しかも、基板42には、一面のみに配線面47を設けた片面配線基板を使用することにより、基板コストを低減することができる。
【００５１】
さらに、基板42に複数の発光素子43を配列すること、および発光素子43からの光の広がりを考慮して、基板42の外周側領域49に発光素子43が実装されることが多く、基板42の内周側領域50で開口部48の周囲には何も配設されない部分が発生するのが一般的であるが、本実施形態では、その基板42の内周側領域50で開口部48の周囲に点灯回路44を設けているため、基板42に発光素子43および点灯回路44を有効かつ効率よく設けることができる。
【００５２】
さらに、点灯回路44の小形の表面実装部品53を基板42の内周側領域50で配線面47に実装するとともに、点灯回路44の大形のリード部品54を基板42の内周側領域50で配線面47とは反対側の面に配設するため、発光素子43から器具中心方向に向かう光を遮らないようにでき、セード25の明るさを均一にできる。
【００５３】
また、基板42の内周側領域50で開口部48の周囲に点灯回路44が設けられるため、配線器具12側と点灯回路44とが近くに位置し、配線器具12側と点灯回路44との配線を容易にできる。
【００５４】
このように、本実施形態の照明器具10によれば、基板42に片面実装基板を用いて低コスト化を実現できるとともに、基板42に対して発光素子43や点灯回路44を有効かつ効率よく設けることができ、配線器具12側と点灯回路44および発光素子43との配線も容易にできる。
【００５５】
また、基板42の同じ配線線47に発光素子43と点灯回路44の表面実装部品53を実装した場合、発光素子43からの光によって表面実装部品53の光劣化が生じるおそれがあるが、その点灯回路44の表面実装部品53を遮光性を有する回路カバー24で覆うことにより、表面実装部品53の光劣化が生じるのを防止することができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明器具
11    器具取付面
12    配線器具
21    器具本体
22    基板装置
23    光源カバー
24    回路カバー
39    取付部
42    基板
43    発光素子
44    点灯回路
47    配線面
48    開口部
49    外周側領域
50    内周側領域
53    表面実装部品
54    リード部品
【図１】
2017107694.tif 000003
【図２】
2017107694.tif 000004